(57)【要約】【課題】段ボール箱に品物を出し入れする際に、邪魔な蓋フラップを、外向きに折り返して箱の外側面に添わせた状態を仮固定させる為の、使い勝手、耐久性等に優れた開蓋保持具を、極力安価に提供する。【解決手段】横方向に長細い縦向きの厚板を、上面視Ｌ形に折曲した如き外形を備えており、その底端面には、折り返し状態の蓋フラップを、箱の側壁と共に挟み込む為の挟込用スリットが、底端面の全長にわたって切込状に設けられていることを特徴とする。  挟込用スリットは、閉鎖奥端に向けて少なくとも部分的に先狭まり状に形成するとよい。又、頂端面から挟込用スリットに向けて通気孔を穿設するとよい。  素材となるプラスチックを、射出成形する等して一体構造に作られていることも特徴とする。【選択図】図１  
0003104791.tif 000002
【実用新案登録請求の範囲】
【請求項１】
段ボール箱に品物を出し入れする際に邪魔になる、蓋フラップを、外向きに折り返して箱の外側面に添わせた状態を仮固定させる為のものであって、
横方向に長細い縦向きの厚板を、上面視Ｌ形に折曲した如き外形を備えており、その底端面には、折り返し状態の蓋フラップを、箱の側壁と共に挟み込む為の挟込用スリットが、底端面の全長にわたって切込状に設けられていることを特徴とする段ボール箱用の開蓋保持具。
【請求項２】
前記挟込用スリットは、上方の閉鎖奥端に向けて、少なくとも部分的に、先狭まり状に形成されていることを特徴とする請求項１記載の段ボール箱用の開蓋保持具。
【請求項３】
開蓋保持具の頂端面から挟込用スリットに向けて、通気孔が穿設されていることを特徴とする請求項１記載の段ボール箱用の開蓋保持具。
【請求項４】
素材となるプラスチックを、射出成形する等して一体構造に作られていることを特徴とする請求項１記載の段ボール箱用の開蓋保持具。
【考案の詳細な説明】
【技術分野】
【０００１】
本考案は、段ボール箱に品物を出し入れする際に、邪魔になる蓋フラップを、外向きに折り返して箱の外側面に添わせた状態を仮固定して置く為の、着・脱自在で反復使用出来る、段ボール箱用の開蓋保持具に関する。      
【背景技術】
【０００２】
箱の四周壁の各上縁に、蓋フラップを、折り目を介して延設した形態を備える段ボール箱は、軽量、安価、保温性、折畳・展開自在、廃棄後の処理が容易、廃棄後に紙に再生出来る等の、多くの長所を備えるので様々な産業分野で多用されている。
【０００３】
然しながら、上記の如き形態と長所を備えた段ボール箱も、使い勝手の点では、尚、改善の余地が残されていた。
即ち、段ボール箱に品物を出し入れする際に、邪魔になる計４枚の蓋フラップの夫々を、外向きに折り返した状態に保たせて置こうとしても、この蓋フラップは、蓋を閉ざす方向に折り癖が付いているので、単に、外向きに押しやるだけでは、蓋を閉ざす方向に戻ろうとする傾向がある。
【０００４】
この様な状態のままで、段ボール箱に品物を出し入れしようとすると、蓋フラップに邪魔される分、作業に手間取ることになる。
殊に、引っ越し荷物の様に、１つの箱に沢山の様々な品物を収めたり、取り出す時には、尚更である。
【０００５】
そこで、品物の出し入れ作業に先立って、蓋フラップを外向きに折り返して箱の外側面に当てがった、邪魔にならない状態を仮固定させて置く為の、幾つかの方法が既に考えられている。
【０００６】
例えば、比較的単純な方法として、外向きに折り返して箱の外側面に当てがった４枚の蓋フラップを、ゴムバンドで囲って一緒に括り付けたり、或いは、個々の蓋フラップの夫々を、粘着テープを使って、箱の外側面に固定させる等していた。
然し、この様な方法は、ゴムバンドの巻き付け操作が面倒であり、粘着テープを一々貼付けたり剥がすのに、少なからぬ手間や経費が掛かる等、あまり合理的な方法とは言えなかった。
【０００７】
そこで、より進化した方法としては、例えば、「特開平１１−２９２０２７」には、図５に示した形態を備えて、図６に示した使い方をする、“段ボール箱用開口維持具”が開示されている。
【０００８】
この開口維持具５０の構造は、段ボール箱６０の蓋フラップ６１の奥行寸法より幾分短い棒材５１の上端を折り曲げて、図６の右上に示した様に、段ボール箱６０の上縁の隅角個所に引っ掛ける為の、フック部５１ａを設けている。
棒材５１の下端には、外向きに折り返して段ボール箱６０の側壁６２に当てがった、隣り合う２枚の蓋フラップ６１，６１を、一緒に押さえ付ける為の、帯板をＬ形に折曲させた如き形状の押さえ部材５２を取付けている。
更に、棒材５１には、取っ手５３を取付けている。
【０００９】
【特許文献１】特開平１１−２９２０２７号公報
【特許文献２】特開平９−２２８６６７
【特許文献３】特開平１０−１２９７７０
【特許文献４】登録実用新案公報  第３０３７２８４号
【考案の開示】
【考案が解決しようとする課題】
【００１０】
上記「特開平１１−２９２０２７」の“段ボール箱用開口維持具”は、ユニークではあるが、その形状からして、外形が嵩張り過ぎて、取り扱いが不便、箱への装着状態がいささか不安定、製作費が嵩む、保管・輸送が不便、等の少なからぬ難点がある。
【００１１】
そこで、本考案の目的は、既存品の上述の如き少なからぬ欠点を概ね解消させ、使い勝手が格段に向上された段ボール箱用の開蓋保持具を、極力安価に提供するにある。
【課題を解決するための手段】
【００１２】
上記の目的を達成する為の、本考案による開蓋保持具は、
段ボール箱に品物を出し入れする際に邪魔になる、蓋フラップを、外向きに折り返して箱の外側面に添わせた状態を仮固定する為に用いるものであって、
横方向に長細い縦向きの厚板を、上面視Ｌ形に折曲した如き外形を備えており、その底端面には、折り返し状態の蓋フラップを、箱の側壁と共に挟み込む為の挟込用スリットが、底端面の全長にわたって切込状に設けられていることを特徴とする。
そして、前記挟込用スリットは、上方の閉鎖奥端に向けて、少なくとも部分的に、先狭まり状に形成されていることも特徴とする。
又、開蓋保持具の頂端面から挟込用スリットに向けて、通気孔が穿設されていることも特徴とする。
更に、素材となるプラスチックを、射出成形する等して一体構造に作られていることも特徴とする。
【考案の効果】
【００１３】
本考案による段ボール箱用の開蓋保持具は、既存品に比べて、以下に列挙した如き実用上の多くの長所を備えている。
（ａ）形状が、至極、単純、且つ、コンパクトにまとめられている。
（ｂ）その為、段ボール箱への着・脱操作を、容易・迅速に行える。
（ｃ）挟込用スリットを、その奥端に向けて先狭まり状にしたので、段ボールの厚さが夫々異なる様々な段ボール箱に兼用出来る。
（ｄ）又、蓋フラップを、安定状態で確実に固定させられる。
（ｅ）頂端面から挟込用スリットに向けて通気孔を穿設したので、着・脱時に、スリット内の空気が加圧・減圧されて、着・脱し難くなる不具合を招かなくて済むる。
（ｆ）汎用プラスチックを素材とし、射出成形法等によって安価に量産出来る。
（ｇ）素材に抗菌剤を配合したり、抗菌剤を用いた表面処理も容易に行えるので、衛生管理を重んずる食品産業等にも安心して使える。
（ｈ）一体構造で、形状単純な為、長期にわたる反復使用に耐えられる。
（ｉ）そして勿論、邪魔な蓋フラップを、開蓋状態に簡単・迅速に仮固定させられる分、段ボール箱への品物の出し入れ作業の能率を飛躍的に高められる。
【考案を実施するための最良の形態】
【００１４】
以下に、本考案の具体的な構成に就いて、図１〜図４を参照しながら説明する。
図１は、この実施例の開蓋保持具Ａの斜視図、図２は、その使用状態を示す斜視図、図３は、図２のＸ−Ｘ線に沿う部分縦断面図、図４の（ａ）及び（ｂ）は、開蓋保持具Ａの別の２つの形状例を示した各端面視図である。
【００１５】
図１に示した開蓋保持具Ａは、図２に示した様に、  段ボール箱Ｂに、品物を出し入れする際に邪魔になる、計４枚の蓋フラップ１２を、外向きに折り返して、段ボール箱Ｂの四周の側壁１１の外側面に夫々添わせた状態を、仮固定させて置く為のものである。
この開蓋保持具Ａは、図示の様に、段ボール箱Ｂの上縁側の四隅のうち、対角線方向の二個所の隅角部に挿着するだけで、４枚の蓋フラップ１２を同時に仮固定出来る。
【００１６】
開蓋保持具Ａの形態は、図１に示した様に、横方向に長細い縦向きの厚板を、上面視Ｌ形に折曲した如き形状を備えている。
そして、その底端面には、図３に示した様に、折り返し状態の蓋フラップ１２を、段ボール箱Ｂの側壁１１と共に挟み込む為の、挟込用スリット１を、底端面の全長にわたって切込状に設けている。
【００１７】
この挟込用スリット１の、スリット幅は、その開放下端から、上方の閉鎖奥端に向けて一様にせずに、上半部分は、奥端に向けて先狭まり状にしている。
これは、段ボール箱Ｂへの開蓋保持具Ａの挿着操作を容易にすると共に、段ボール箱Ｂの素材となる段ボールの厚みが、箱の種類毎に幾分相異しても、蓋フラップ１２を確実に挟み付けられると云う、汎用性を持たせる為である。
【００１８】
開蓋保持具Ａの頂端面には、図１，図３に示した様に、通気孔２を、２個所に穿設している。
この通気孔２は、図３から理解される様に、折り返し状態の蓋フラップ１２を、側壁１１と共に、開蓋保持具Ａで挟み付けて行く過程で、又は、挿着済みの開蓋保持具Ａを取り外す過程で、挟込用スリット１の奥端側の隙間が、密閉空間に近い状態になって、開蓋保持具Ａの着・脱操作の妨げになるのを防ぐ役割を果たすものである。
【００１９】
即ち、開蓋保持具Ａの挿着過程で、上記の空隙が密閉に近い状態になれば、圧縮された空気が開蓋保持具Ａの押し下げを妨げる。
そして、開蓋保持具Ａの取外過程で、上記の空隙が密閉に近い状態であれば、この空隙が減圧されることによって、開蓋保持具Ａの引き上げを妨げることになる。
【００２０】
この実施例の開蓋保持具Ａは、生産性や耐久性を高める為に、硬質の汎用プラスチックを素材として用い、射出成形法等によって、一体構造に作られている。
【００２１】
ところで、段ボール箱Ｂが生鮮食品や、加工食品等の梱包に使われる場合には、当然のことながら、衛生面での考慮を十分に払う必要がある。
その点で、開蓋保持具Ａに設けた挟込用スリット１は、雑菌類の温床となり兼ねない。
【００２２】
そこで、開蓋保持具Ａの素材となるプラスチックには、周知の、プラスチック用の抗菌剤を配合するとよい。
或いは、挟込用スリット１の内壁面や、開蓋保持具Ａの全面を、抗菌剤を配合したコーティング剤で被覆処理してもよい。
【００２３】
次に、挟込用スリット１の形状を上記とは相異させた、別の実施例としての、２つの開蓋保持具Ａを、図４に示した。
図４の（ａ）に示した開蓋保持具Ａは、挟込用スリット１の開放下端から、閉鎖奥端に至る迄、一様な傾斜角度を以て先細り状に形成している。
図４の（ｂ）に示した開蓋保持具Ａは、挟込用スリット１を構成している対向壁面の、一方の壁面は垂直面に形成し、他方の壁面は、スリット幅が開放下端に向けて漸増する様に曲面に形成している。
【図面の簡単な説明】
【００２４】
【図１】本考案の一実施例を示すもので、開蓋保持具の斜視図である。
【図２】同上、開蓋保持具の使用状態を示す斜視図である。
【図３】同上、図２のＸ−Ｘ線に沿う、部分縦断面図である。
【図４】開蓋保持具の、別の２つの形態例を示すもので、開蓋保持具の各端面視図である。
【図５】従来例を示すもので、開口維持具の斜視図である。
【図６】同上、開口維持具の使用状態を示した斜視図である。
【符号の説明】
【００２５】
Ａ  開蓋保持具
Ｂ  段ボール箱
１  挟込用スリット
２  通気孔
１１  側壁
１２  蓋フラップ
５０  開口維持具
５１  棒材
５１ａ  フック部
５２  押さえ部材
５３  取っ手
６０  段ボール箱
６１  蓋フラップ
６２  側壁
【図１】
0003104791.tif 000003
【図２】
0003104791.tif 000004
【図３】
0003104791.tif 000005
【図４】
0003104791.tif 000006
【図５】
0003104791.tif 000007
【図６】
0003104791.tif 000008